(57)【要約】【課題】本発明は空のペットボトルに容易に取り付けることができ、水の排出がスムーズで、取り扱いが容易である給水装置の給水ならびにそれを用いた給水装置および植物栽培装置を提供する。【解決手段】上下に延びる筒状部１３と、その筒状部の内部を塞ぎ、下面が傾斜し、少なくとも水排出路１４ａと空気導入路１４ｂを備えたレンコン状のブロック部１４と、前記筒状部の上端開口を塞ぐ方向に付勢されている弁体１５と、前記水供給容器を水路２２に設置することにより、前記蓋が筒状部の上端開口を塞ぐのを解除する弁棒１６とを備えている給水弁１２。【選択図】図１
2010017097.tif 000002
【特許請求の範囲】
【請求項１】
上端に筒状の口部を備え、上下を逆にした状態で設置される有底筒状の水供給容器に用いられる給水弁であって、
前記口部に挿入される筒状部と、
その筒状部の内部を塞ぎ、下面が傾斜し、中心に上下に貫通するガイド孔および前記傾斜面の上部側および下部側で開口する上下に貫通する２本の貫通路が形成されたブロック部と、
前記ガイド孔に摺動自在に挿通される弁軸と、
その弁軸の上端に固定され、前記筒状部の上端開口を塞ぐ弁体と、
前記弁軸を下方向に付勢するバネと、
前記筒状部を水供給容器の口部に着脱自在に固定する固定手段とを備えている水供給容器の給水弁。
【請求項２】
前記ブロック部に、前記２本の貫通路に加えて、ガイド孔を囲むように配列される複数本の追加の貫通路が形成されている請求項１記載の給水弁。
【請求項３】
前記水供給容器の口部外周にオネジが形成されており、前記筒状部の下端近辺に水供給容器の口部端と当接するフランジが設けられ、前記固定手段が、そのフランジを水供給容器の口部端に当接する状態で前記オネジに螺着される、天面中央に開口を備えたキャップである請求項１または２記載の給水弁。
【請求項４】
前記キャップがフランジと一体にされている請求項３記載の給水弁。
【請求項５】
前記キャップに、複数個の脚部が設けられている請求項３または４記載の給水弁。
【請求項６】
前記筒状部が外径１５〜２０ｍｍの円筒状であり、前記貫通路が径３〜６ｍｍの断面円形を有し、その貫通路の本数が２〜８本である請求項１〜５のいずれかに記載の給水弁。
【請求項７】
上端に筒状の口部を備え、上下を逆にした状態で設置される有底筒状の水供給容器と、その水供給容器の前記口部に取付けられる請求項１〜５のいずれかに記載の給水弁とからなる植物栽培用の給水装置。
【請求項８】
請求項７記載の給水装置と、
その給水装置を着脱自在に受け入れて支持する支持部、その支持部の側方に配置され、水路を介して水が供給される貯水皿、およびその貯水皿に蓄えられた水を吸収すると共に、植物の根が配置される水分吸収体を備えた栽培容器、とからなる植物栽培装置。
【発明の詳細な説明】
【技術分野】
【０００１】
本発明は植木鉢、プランターなどの底部に自動的に給水する給水装置の給水弁、その給水弁を用いた給水装置および植物栽培装置に関する。
【背景技術】
【０００２】
【特許文献１】特開２００６−２３０３９４号公報
【特許文献２】特開２０００−８３４９８号公報
【特許文献３】特開平９−２５５０４８号公報
【０００３】
特許文献１には、自動給水機能を備えた栽培装置が記載されている。図６にその栽培装置１００を示す。このものは、排水孔１０１を植木鉢１００ａの内底面よりも高くして、植木鉢１００ａの下部に水を貯留できるようにしている。さらに植木鉢１００ａの上方に設けた給水容器１０２の下部に下部連通管１０３を連結し、その下端１０３ａを植木鉢１００ａの下部に導いている。一方、給水容器１０２の上部の空気層には上部連通管１０４が連結され、その下端１０２ａは前記下部連通管の下端１０３ａより上方に配置されている。そのため、植物による貯留水の吸収、蒸発などにより植木鉢１００ａの水位が下がると、上部連通管１０４の下端１０４ａと水面との間に隙間が出来て、そこから空気が給水容器１０２に導入され、その空気に置換された給水容器内の水が下部連通管を通して排出され、元の水位が保たれるというものである。
【０００４】
特許文献２には、自動灌水植物栽培容器が開示されている。このものは特許文献１の装置とほぼ同じであるが、貯留水と植物が植えられる用土との間に大気層を設けていることを特徴としており、貯留水の水位が下がるとその分だけ空気が用土を通過し、大気層に導入される。そのため、用土に酸素を供給することができるというものである。
【０００５】
特許文献３には、図７に示すような二液混合容器が記載されている。この二液混合容器１１０は、容器１１１の口部である筒体１１２内に、容器１１１の内部まで延びる空気置換パイプ１１３と、筒体１１２の先端側へ延びる液体流通パイプ１１４とを配置し、置換される空気の流れと、下方に流通される液体の流れを円滑にし、液体の流通速度を速めるというものである。筒体１１２の下端開口部には、蓋１１５が開閉自在に設けられている。
【発明の開示】
【発明が解決しようとする課題】
【０００６】
特許文献１の装置では、容器に水を入れたまま連通管を所望の位置に配置するのが困難である。すなわち、連通管を塞いた状態で、所定の位置まで案内するか、給水容器自体の高さを植木鉢より低くしなければならず、作業が煩雑である。特許文献２の装置では水を植木鉢に与える初期の段階でスムーズに水を供給しにくい。特許文献３の装置は、空のペットボトルなどの口部が細い筒状の容器にそのまま用いるのが困難である。
【０００７】
本発明は空のペットボトルなど、口部が細い筒状の容器に容易に取り付けることができ、水の排出がスムーズな給水弁を提供することを技術課題としている。さらに本発明は、取り扱いが容易な給水装置および植物栽培装置を提供することを技術課題としている。
【課題を解決するための手段】
【０００８】
本発明の給水弁（請求項１）は、上端に筒状の口部を備え、上下を逆にした状態で設置される有底筒状の水供給容器に用いられる給水弁であって、前記口部に挿入される筒状部と、その筒状部の内部を塞ぎ、下面が傾斜し、中心に上下に貫通するガイド孔および前記傾斜面の上部および下部で開口する上下に貫通する２本の貫通路が形成されたブロック部と、前記ガイド孔に摺動自在に挿通される弁軸と、その弁軸の上端に固定され、前記筒状部の上端開口を塞ぐ弁体と、前記弁軸を下方向に付勢するバネと、前記筒状部を水供給容器の口部に着脱自在に固定する固定手段とを備えていることを特徴としている。
【０００９】
このような給水弁においては、ブロック部に、前記２本の貫通路に加えて、ガイド孔を囲むように配列される複数本の追加の貫通路が形成されているものが好ましい（請求項２）。また、前記水供給容器の口部外周にオネジが形成されており、前記筒状部の下端近辺に水供給容器の口部端と当接するフランジが設けられ、前記固定手段が、そのフランジを水供給容器の口部端に当接する状態で前記オネジに螺着される、天面中央に開口を備えたキャップであるものが好ましい（請求項３）。その場合、キャップがフランジと一体にされているものが好ましい（請求項４）。その場合、キャップに、複数個の脚部が設けられているものがさらに好ましい（請求項５）。さらに前記いずれの給水弁においても、筒状部が外径１５〜２０ｍｍの円筒状であり、前記貫通路が３〜６ｍｍの断面円形を有し、その貫通路の本数が２〜８本であるものが好ましい（請求項６）。
【００１０】
本発明の植物栽培用の給水装置（請求項７）は、上端に筒状の口部を備え、上下を逆にした状態で設置される有底筒状の水供給容器と、その水供給容器の前記口部に取付けられる前述のいずれかの給水弁とからなることを特徴としている。本発明の植物栽培装置（請求項８）は、前記給水装置と、その給水装置を着脱自在に受け入れて支持する支持部、その支持部の側方に配置され、水路を介して水が供給される貯水皿、およびその貯水皿に蓄えられた水を吸収すると共に、植物の根が配置される水分吸収体を備えた栽培容器、とからなることを特徴としている。
【発明の効果】
【００１１】
本発明の給水弁（請求項１）は、水を入れた水供給容器の口部に取付け、上下を逆にして植木鉢内の設置部に、あるいは植木鉢の内部と連通する貯水皿に設置して使用する。このとき、上下を逆にしても、弁軸を介してバネで下向きに付勢されている弁体が筒上部の上端開口を塞ぐので、水供給容器から水はこぼれない。水供給容器を植木鉢の設置部や貯水皿に設置すると、弁軸の下端が設置部あるいは貯水皿によって押し込まれ、弁体が筒上部の上端から離れ、貫通路から水が流出する。
【００１２】
そのとき、下面が傾斜したブロックの傾斜面の上部側で開口する短い貫通路から置換用の空気が導入され、下部側の長い貫通路から水が流出する。したがって１個の開口から水を流すのに比べて流れに乱れを生じにくい。これは短い貫通路の下端に加わる水圧より長い貫通路に加わる水圧が小さいためと考えられる。さらに長い貫通路の下端は傾斜面に開口しており、開口の面積が大きく周囲長さが長いので表面張力による抵抗が少ない。そのため、水供給容器の水の残量が少なくなって水圧が下がっても、水の流出はスムーズである。
【００１３】
また、ブロック部に貫通路を形成しているので、複数の貫通孔を形成するのが容易である。そのため、空のペットボトルなど、細い口部内に用いることができる。使用の途中で水供給容器を持ち上げると、弁軸を介して下方に付勢されている弁体が筒状部の上面に蓋をし、全ての貫通路を閉じることができるので、水供給容器を逆さに向けても水は流出しない。
【００１４】
前記ブロック部に、前記２本の貫通路に加えて、ガイド孔を囲むように配列される複数本の追加の貫通路が形成されている場合（請求項２）は、水が流出する貫通路の面積が増大するので、一層スムーズに水を供給することができる。
【００１５】
前記水供給容器の口部外周にオネジが形成されており、前記筒状部の下端近辺に水供給容器の口部端と当接するフランジが設けられ、前記固定手段が、そのフランジを水供給容器の口部端に当接する状態で前記オネジに螺着される、天面中央に開口を備えたキャップである場合（請求項３）は、水供給容器への給水弁の取付けが確実で、着脱が容易である。また、前記キャップがフランジと一体にされている場合（請求項４）は、給水弁の取り扱いが一層容易である。
【００１６】
前記キャップに、複数個の脚部が設けられている場合（請求項５）は、水供給容器をキャップの脚部で支えることができ、脚部の隙間から水を流出させることができる。そのため、水供給容器の肩部などで支えて下端を浮かせる必要がない。また、弁棒の押し込み量が一定になるため、適切な流出量を設定できる。
【００１７】
また、前記筒状部が外径１５〜２０ｍｍの円筒状であり、前記貫通路が径３〜６ｍｍの断面円形を有し、その貫通路の本数が２〜８本である場合（請求項６）は、水の流出が一層スムーズである。
【００１８】
本発明の植物栽培用の給水装置（請求項７）は、前述の給水弁を備えているので、水供給容器への水の充填および植木鉢などへの設置が容易である。本発明の植物栽培装置（請求項８）は、前述の給水装置を備えているので、栽培容器の植物が水を吸収して、あるいは水が蒸発して水位が下がると、自動的に給水装置がから水が供給され、元の水位まで戻る。さらに水供給容器への水の充填および植木鉢などへの設置が容易である。
【発明を実施するための最良の形態】
【００１９】
つぎに図面を参照しながら本発明の給水弁、給水装置および植物栽培装置の実施の形態を説明する。図１は本発明の植物栽培装置の一実施形態を示す一部断面正面図、図２はその植物栽培装置に用いられている給水装置の一部切り欠き要部正面図、図３ａはその給水装置に用いられている給水弁の一部断面側面図、図３ｂは図３ａの給水弁の底面図、図４は図１の植物栽培装置の使用方法を示す模式図、図５ａは本発明の給水弁の他の実施形態を示す一部断面側面図、図５ｂは図５ａの給水弁の底面図である。
【００２０】
図１に示す植物栽培装置１は、給水装置１０と、その給水装置１０から水Ｗが供給され、植物Ｐが栽培される栽培容器２０とからなる。給水装置１０は、底部を上方にして配置される有底筒状の水供給容器１１と、その水供給容器１１の筒状の口部１１ａに設けられた給水弁１２とからなる。水供給容器１１としては、市販飲料の容器として使用されるペットボトルが資源再利用の意味で好ましい。ただし合成樹脂、ガラス、金属などから形成された専用の容器でもよい。いずれの場合でも、全体あるいは部分的に透明な容器が好ましく、それにより内容量が視認できる。図２に示すように、水供給容器１１の口部１１ａの外周にはオネジ１１ｂが形成されており、そのオネジ１１ｂにキャップ１１ｃが螺合し、水供給容器１１に給水弁１２が固定される。キャップ１１ｃの天面中央は水を流出させるため、大きい開口１１ｄが形成されている。前記水供給容器１１に封入される水Ｗには、植物の栄養分を含ませてもよい。
【００２１】
図３に示すように、給水弁１２は、筒状部１３およびその筒状部１３の内部を塞ぎ、下面が傾斜した円筒状のブロック部１４とを備えた本体と、筒状部１３の上端開口を塞ぐ弁体１５と、その弁体１５を作動させる弁棒１５ａとを備えている。本体は、ポリプロピレン（ＰＰ）、ポリエチレン（ＰＥ）、ポリエチレンテレフタレート（ＰＥＴ）、アクリルニトリル・ブタジエン・スチレン樹脂（ＡＢＳ）、ポリメチルメタアクリル（ＰＭＭＡ）などの合成樹脂材料で一体形成されるのが好ましい。ブロック部１４の中心部には、弁棒１５ａを摺動自在にガイドするガイド孔１４ａが形成され、そのガイド孔１４ａの周囲には、上面から下面まで貫通する複数の貫通路１４ｂ〜ｄが形成され、全体としてレンコン状に形成されている。ブロック部１４の軸方向の長さは、長い方の側で２８〜３５ｍｍ、好ましくは３０〜３３ｍｍであり、短い方の側で１３〜２０、好ましくは１５〜１８ｍｍである。また、前記下面の水平方向に対する傾斜角度は２０〜７０度程度が好ましく、とくに３０〜６０度が好ましい。
【００２２】
前記筒状部１３は、その長さが２８〜３５ｍｍ、好ましくは３０〜３３ｍｍである。その外径は１６〜２３ｍｍ、好ましくは１８〜２１ｍｍであり、内径は１４〜２１ｍｍ、好ましくは１６〜１９ｍｍである。例えば、水供給容器１１がペットボトルの容器であるなら、その容器の規格された口部の内径に合わせるのがよい。また、前記筒状部１３の下部の外周にはフランジ部１３ａが設けられている。そのフランジ部１３ａは、図２に示すように、口部１１ａに筒状部１３を挿入した際に、口部１１ａの下端面と当接する。そのため、前記キャップ１１ｃを口部１１ａに螺合させると、前記フランジ部１３ａが口部１１ａに押し当てられ、給水弁１２が水供給容器１１に固定される（図２参照）。
【００２３】
前記ブロック部１４には、少なくとも２本の貫通路が設けられている。その２本の貫通路というのは、ブロック部１４の傾斜した面の下手側（最も下手側のもの）から上面まで貫通した長い貫通路（水排出路）１４ｃと、上手側（最も上手側のもの）の短い貫通路（空気導入路）１４ｂのことである。また、ブロック部１４には、その軸心に沿ってガイド孔１４ａが形成されており、前記弁体１５から延びる弁棒１５ａが挿通される。この実施形態ではブロック部１４の下面中央から細い筒１４ｅが突出しており、その筒１４ｅの内部までガイド孔１４ａが延長されている。また、その突出した筒１４ｅの先端部には段部１４ｆが形成されている。その他の貫通路１４ｄ・・はブロック部１４の下面の水排出路１４ｃと空気導入孔１４ｂとの間の位置にバランスよく配置されている。それらの貫通路１４ｄからは水が排出される場合もあるし、空気が導入される場合もある。なお、前記水排出路１４ｃの径は３〜６ｍｍ、好ましくは３〜５ｍｍである。そして、空気導入孔１４ｂの径は３〜６ｍｍ、好ましくは３〜５ｍｍである。また、その他の貫通路１４ｄについては、前記水排出路１４ｃおよび空気導入孔１４ｂと同じにしてもよい。また、前記貫通路の全本数（排出路および導入路を含む）は２〜８、好ましくは４〜６本形成される。さらに、水供給容器１１に封入される液体の粘度や、供給の速度に応じて、これら貫通路の本数や１本当りの貫通路の断面積を変化させてもよい。なお、図３ｂの符号１４ｇは、筒状部１３の周壁に溶融樹脂をスムーズに流すための連通路の痕である。
【００２４】
前記弁体１５は、筒状部１３の上端開口を開閉する円形の板状部材である。その蓋部材１５の中心から下向きに弁棒１５ａが延びている。その弁棒１５ａはブロック部１４のガイド孔１４ｃを貫通し、傾斜した下面側をさらに超え、筒状部１３の下端からさらに下方にその先端を延ばしている。その先端の外周には鍔部１５ｂが取付けられている。なお、前記貫通路１４ｂ〜１４ｄを複数の壁面を有する格子状、多角形などの形状にすることもできるが、ペットボトルの口部のような小さな径の中にそれらを形成するのは困難であるし、そのような角のある流路は流れを乱しやすい。
【００２５】
前記弁体１５は、コイルスプリング１６のような弾性を備えた部材により下向きに付勢されている。コイルスプリング１６の場合、弁棒１５ａの周囲に装着させた上で、上端をブロック部１４の斜面から突出する筒１４ｅの先端の段部１４ｆに、下端を前記鍔部１５ｂにそれぞれ係止させている。そのため、常時は弁体１５が筒上部１３の上端開口を閉じており、弁棒１５ａがコイルスプリング１６の付勢力に抗して押上げられたとき、弁体１５が上端開口を開く。図３では、コイルスプリング１６が伸びた状態における弁棒１５ａの下端部を二点鎖線で記載している。なお、付勢手段として、コイルスプリングのほか、同じような作用を奏するものならば、他のものも使用できる。例えな、ダンパ、弾性部材などを用いて前記付勢力を得るようにしてもよい。なお、前記弁体１５がゴムなどの材質で形成され、筒状部１３の上端にパッキンが配置されると、一層シール性が増す。
【００２６】
図１に戻って、前記栽培容器２０は、給水装置１０の口部１１ａが取り付けられるボトル固定部２１と、そのボトル固定部２１と連結されて水供給容器１１から水が導かれる水路２２と、その水路２２を介して水が供給される貯水皿２３と、その貯水皿２３に載置される植木鉢と、その植木鉢に収容され、溜まった水を吸収し、かつ植物Ｐの根が配置されている水吸収体２４とからなる。
【００２７】
前記ボトル固定部２１は、底面２１ａと、その底面２１ａの周縁から立ち上がる周壁２１ｂとを有する上方に向けて開口した略筒状である。そのボトル固定部２１には、給水装置１０の口部１１ａが底を上方に向けた状態で挿入される。前記ボトル固定部２１の下端には切り欠き２１ｃが形成され、前記水路２２の一端が連結され、貯水皿２３へ延びている。
【００２８】
前記貯水皿２３は、皿状の部材で、その側方から水路２２が連通している。その貯水皿の側面部は上方に延長され、植木鉢の筒状の側壁２３ａを形成している。その筒状の側壁２３ａと貯水皿２３の側面部とを連結している付近で、貯水皿の上面には、網状の部材２３ｂが配置されている。前記水分吸収体２４は筒状の側壁２３ａ内の網状部材２３ｂの上に配置されている。また、貯水皿２３の側面あるいは延長された筒状の側壁２３ａには、オーバーフローのための排水孔２３ｃが形成されている。排水孔２３ｃは貯水皿２３の底面から所定高さＨ２（≧Ｈ１）の位置にある。
【００２９】
植木鉢は通常は貯水皿２３とは別体であるが、貯水皿２３と筒状の側壁２３ａは、たとえば合成樹脂品などを一体成形することにより薄肉のカップ状に形成することもできる。合成樹脂で成形する場合には透明で内部が視認できるようにすることもできる。ただし、陶器やガラスなど、他の材料も使用しうる。なお、容器の全体が透明でなくとも、一部に窓を設けてその部分に外部から内部を視認できるガラスや合成樹脂を用いることもできる。
【００３０】
さらに、前記網状部材２３ｂはステンレス製あるいは合成樹脂製など、耐水性の高いものが好ましい。ステンレスあるいは合成樹脂製のパンチングプレートであってもよいし、合成樹脂背のネットあるいは籠などを用いてもよい。
【００３１】
なお、前記水吸収体２４としては、用土のほか、発泡ウレタンなどの発泡樹脂、あるいは発泡ゴムなど、通気性および透水性を有する柔軟な材料で形成するのが好ましい。なお、ヤシ殻やシュロなどの天然繊維、ポリエステル繊維などの化学繊維など、通気性および透水性が高く、植物を保持できるものであれば、他の材料も採用することができる。
【００３２】
また、本実施形態では網状部材２３ｂ、水分吸収体２４は貯水皿２３の形状に合わせて円形にしているが、角形、多角形であってもよい。
【００３３】
次に図４を用いて植物栽培装置１が使用される様子を説明する。まず、空のペットボトルに水Ｗを充填する。あるいは内部に養分を含む水Ｗを封入したペットボトルなどからなる水供給容器１１を用意する(工程Ｓ１)。次いで、その水供給容器１１に給水弁１２を装着して給水装置１０とし、それを逆さまにし、ボトル固定部２１に挿入する（工程Ｓ２）。その際、給水弁の弁棒１５の下端をボトル固定部の底面２１ａに押し当て、その自重でコイルスプリング１６の付勢力に逆って弁棒１５を上昇させる（図３参照）。そうすると、弁体１５と筒状部１３の上端との接触は解除される。内部の水Ｗはブロックの水排出路１４ｃ（図３参照）から流出し、それと置換されるように空気が空気導入孔１４ｂから導入される（工程Ｓ３）。このとき、弁体１５は水供給容器１１の口部１１ａより上側に抜けて、肩部内に達し、周囲に十分大きい隙間ができるようにしている。そして、流出した水Ｗが固定部の底面２１ａと周壁２１ｂとで囲まれる範囲に溜まり、その水位が水排出路１４ａのところまで来る（高さＨ１）。そうすると、筒状部１３の下端の全周が水面に接し、あるいは若干水没するため、置換される空気が導入できなくなる。そのため、水の流出が止まる（工程Ｓ４）。また、栽培容器２０側の排水孔２３ｃの方が水排出路１４ａより高い位置にあるので（Ｈ２≧Ｈ１）、排水孔２３ｃから水が排出されることはない。
【００３４】
流出した水Ｗは水路２２から貯留皿２３に貯留され、その水位は前記Ｈ１と同じ高さである。そして、水Ｗは水分吸収体２４によりいくらか上方に吸い上げられ、植物に吸収されたり、蒸発したりすることにより次第に水位が低くなる（工程Ｓ５）。そうすると、前記水排出路１４ａの下端と水面とが接しなくなり、かつ筒状部１３の下端と水面との間にも隙間Ａができる。その隙間により空気の導入を許し、導入された空気によりボトル内の水が置換され、水排出路１４ａから水Ｗが流出する（工程Ｓ６）。そして、再び、水位が水排出路１４ａのところまで来て（高さＨ１）、筒状部１３の下端の全周が水面に接し、あるいは若干水没して、置換される空気が導入できなくなると、水の流出が止まる（工程Ｓ４）。水が止まった状態ではブロック部１４の斜面も下方に空気が溜まっている。
【００３５】
また、何らかの原因、例えば栽培容器２０を外に出していた場合に雨などにより、貯水皿２３に大量の雨水が流れ込んだ場合や給水装置１０の取り付けの不具合により内部の水Ｗが過剰に流出した場合などに、前記排水孔２３ｃがあると、そこから余分な水をオーバーフローさせることができる。そのため、安心して使用することができる機構である。
【００３６】
さらに、筒状部１３の下端の全周囲が水面に接する、あるいは若干水中に入り込むと、水Ｗの流出が止まる。そのため、自動的に水Ｗを供給させるために必要な水面高さを低くすることができる。必要な水面高さを低くすることができると、給水装置１０から流出する水の量を少なくすることができ、水の滞留時間を小さくすることができるので、衛生的である。また、滞留している間の蒸発も防ぐことができるので、さらに節水効果が高いし、使用時間も長くすることができる。
【００３７】
図５に給水弁の他の実施例を示す。このものは筒状部１３の周囲に隙間１３ａを空けて筒状の部分１３ｂを設けている。その筒状の周壁１３ｂの内面にはメネジが形成されており、前記ペットボトルの口部１１ａのオネジ１１ｂと螺合する。さらに隙間１３ａの底にはパッキン１３ｃが設けられており、水漏れしにくい。また、筒状の周壁１３ｂは下方に延長されて脚部１３ｃとされている。その脚部１３ｃは等間隔に３本延びており、脚部１３ｃの間から溶液Ｗが排出される。
【図面の簡単な説明】
【００３８】
【図１】本発明の植物栽培装置の一実施形態を示す正面図である。
【図２】図２は水供給容器（ペットボトル）の正面図である。
【図３】図３ａは給水弁の側面図、図３ｂは図３ａの底面図である。栽培容器を示す一部断面側面図である。
【図４】図４は図１の装置を用いる様子を示す。
【図５】図５ａは給水弁の他の実施例を示す部分断面側面図、図５ｂは図５ａの底面図である。
【図６】従来の装置を示す正面図である。
【図７】従来の装置を示す正面図である。
【符号の説明】
【００３９】
１  植物栽培装置
１０  給水装置
１１  水供給容器
１１ａ  口部
１１ｂ  オネジ
１１ｃ  キャップ
１２  給水弁
１２ａ  脚部
１２ｂ  周溝
１３  筒状部
１３ａ  隙間
１３ｂ  周壁
１３ｃ  脚部
１４  ブロック
１４ａ  ガイド孔
１４ｂ  大気導入路
１４ｃ  水排出路
１４ｄ  貫通路
１４ｅ  筒
１４ｆ  段部
１４ｇ  連通路の痕
１５  弁体
１５ａ  弁棒
１５ｂ  鍔部
１６  コイルスプリング
２０  栽培容器（植木鉢）
２１  ボルト固定部
２１ａ  底面
２１ｂ  周壁
２１ｃ  切り欠き
２２  水路
２３  貯水皿
２３ａ  側壁
２３ｂ  網状の部材
２３ｃ  排水孔
２４  水分吸収体
Ｐ  植物
【図１】
2010017097.tif 000003
【図２】
2010017097.tif 000004
【図３】
2010017097.tif 000005
【図４】
2010017097.tif 000006
【図５】
2010017097.tif 000007
【図６】
2010017097.tif 000008
【図７】
2010017097.tif 000009